(57)【特許請求の範囲】
【請求項１】
遊技盤に装着される台板と、該台板の前面に取着され遊技状態を制御するための回路基板と、前記台板とほぼ同じ大きさからなり回路基板を覆うようにして台板に取り付けられる合成樹脂製のカバー体とからなる基板ケースにおいて、
前記カバー体にＲＯＭを取り出し可能な円形状の開口窓を形成し、一方、該開口窓に嵌合してその前面を密閉状に塞ぐ合成樹脂製の蓋部材を設け、開口窓の内周縁と蓋部材の外周縁にそれぞれ蓋部材を回転したとき互いに係合し得る係合部と被係合部を複数設け、また開口窓の内周縁に係止爪を有する弾性係止片を一体に設け、蓋部材の裏面には前記各係合部と被係合部とが係合したとき前記係止爪が係合し蓋部材の回転を不能にする係合凹部と先の尖ったピン等で外側から穴が開けられる薄肉部とを複数かつ同数設けてなり、ピン等により前記弾性係止片に対向位置する薄肉部に穴を開け、その弾性係止片を押圧して係止爪と係合凹部との係合を解くようにしたことを特徴とする遊技機の基板ケース。
【請求項２】
遊技盤に装着される台板と、該台板の前面に取着され遊技状態を制御するための回路基板と、前記台板とほぼ同じ大きさからなり回路基板を覆うようにして台板に取り付けられる合成樹脂製のカバー体とからなる基板ケースにおいて、
前記カバー体にＲＯＭを取り出し可能な円形状の開口窓を形成し、一方、該開口窓に嵌合してその前面を密閉状に塞ぐ合成樹脂製の蓋部材を設け、開口窓の内周縁と蓋部材の外周縁にそれぞれ蓋部材を回転したとき互いに係合し得る係合部と被係合部を複数設け、また開口窓の内周縁に係止爪を有する弾性係止片を一体に設け、蓋部材の裏面には前記各係合部と被係合部とが係合したとき前記係止爪が係合し蓋部材の回転を不能にする係合凹部と先の尖ったピン等で外側から穴が開けられる薄肉部とを係合凹部が薄肉部より１個多くなるようにして複数設けてなり、ピン等により前記弾性係止片に対向位置する薄肉部に穴を開け、その弾性係止片を押圧して係止爪と係合凹部との係合を解き、また前記余分な係合凹部に弾性係止片の係止爪を係合させることによりその係合状態を解くことができないようにしたことを特徴とする遊技機の基板ケース。
【発明の詳細な説明】
【０００１】
【発明の属する技術分野】
本発明は、パチンコ遊技機等の遊技状態を制御するための回路基板を収容してなる基板ケースに関するものである。
【０００２】
【従来の技術】
従来、例えば遊技機であるパチンコ遊技機にあっては、その裏側に遊技状態を制御するための基板ケースが取り付けられる。該基板ケースは、パチンコ遊技機の遊技盤裏側に装着される台板と、該台板の前面に取着される回路基板と、該回路基板を覆う合成樹脂製のカバー体とからなり、これらを重ね合せ更にカバー体の上下四隅部にそれぞれ螺子を挿通して締め付けることにより一体に組み付けるようにしている。
【０００３】
ところで、近時、パチンコホールにおいて回路基板のＲＯＭを勝手に改造してゲームに賭博性を持たせるといった不正行為が頻発しており、これを防止するためにパチンコホールの立入検査が行なわれている。該立入検査では、まず螺子を取り外してカバー体を開け、次いで回路基板のＲＯＭを取り出して該ＲＯＭをＲＯＭチェッカーにより検査する。また、検査後は回路基板にＲＯＭを戻して取り付け、再びカバー体を被せて螺子止めするようにしている。
【０００４】
【発明が解決しようとする課題】
このように回路基板のＲＯＭを検査するには、カバー体の上下四隅部に螺合された螺子を１つ１つ取り外してカバー体を開けてからＲＯＭを検査するようにし、また検査後はＲＯＭを回路基板に戻し再びカバー体を被せて各螺子を締め止めするようにしていたので、検査作業が面倒であるばかりか時間も掛かり、作業能率が極めて悪いという課題が有った。
【０００５】
そこで、本発明は上記課題を解決すべくなされたもので、螺子の取付・取外を行うことなくカバー体をそのままにしてＲＯＭを出し入れでき、検査作業を極めて簡単に行なえるようにし、作業能率の格段の向上を図り、しかも複数個の検査にも継続して使用できる遊技機の基板ケースを提供することを目的とするものである。
【０００６】
【課題を解決するための手段】
かかる目的を達成するため、本発明に係る遊技機の基板ケースは、遊技盤に装着される台板と、該台板の前面に取着され遊技状態を制御するための回路基板と、前記台板とほぼ同じ大きさからなり回路基板を覆うようにして台板に取り付けられる合成樹脂製のカバー体とからなる基板ケースにおいて、カバー体にＲＯＭを外から取り出し可能な円形状の開口窓を形成し、一方、該開口窓に嵌合してその前面を密閉状に塞ぐ円板状の蓋部材を設ける。そして開口窓の内周縁と蓋部材の外周縁にそれぞれ蓋部材を回転したとき互いに係合し得る係合部と被係合部を複数設け、また開口窓の内周縁に係止爪を有する弾性係止片を一体に設け、蓋部材の裏面には前記各係合部と被係合部とが係合したとき前記係止爪が係合し蓋部材の回転を不能にする係合凹部と先の尖ったピン等で外側から穴が開けられる薄肉部とを複数かつ同数設ける。また、該各薄肉部のいずれかが係合部と被係合部とが係合したとき、弾性係止片に対向位置するようになっている。
【０００７】
そこで、例えばパチンコホールに設置されるパチンコ遊技機については、開口窓に蓋部材を当てがい回転させることにより複数の係合部と被係合部を係合させる。この際、同時に弾性係止片の係止爪が係合凹部に係合することとなり、これにより蓋部材が回転不能に固定され、開口窓から取り外しできなくなる。次に、回路基板のＲＯＭを検査するに当っては、前記弾性係止片に対向位置する薄肉部に外側から先の尖ったピン等により穴を開け、その弾性係止片を押圧して係止爪と係合凹部との係合を解くと共に係合部と被係合部との係合を外して蓋部材を開口窓から取り外し、該開口窓を介してＲＯＭを取り出してその検査を行う。
【０００８】
検査終了後は、ＲＯＭを回路基板に取り付け、再び開口窓に蓋部材を当てがうと共に回転させて係合部と被係合部を係合させる。この際、係止爪は前記穴の開けられた係合凹部以外の係合凹部に係合される。これにより蓋部材が開口窓に取り外しできない状態で固定されることとなる。このように螺子の取付・取外によりカバー体を開閉せずにＲＯＭを出し入れして検査が行なえるので、検査作業が簡単に行なえ、作業能率が向上する。
【０００９】
また、前記弾性係止片に対応する係合凹部と薄肉部とを複数設けることにより、基板ケースが複数回の検査に継続して使用可能となり、コストの低廉が図られるようになる。更に、１個余分な係合凹部を設けるようにすれば、該係合凹部と弾性係止片の係止爪との係合状態は対応する薄肉部が無いことから解くことができなくなり、これにより基板ケースのＲＯＭを勝手に改造したものと交換するという不正行為が未然に防止されることとなる。
【００１０】
【発明の実施の形態】
以下、本発明に係る遊技機の基板ケースの実施の形態を図面に基づき説明する。なお、本発明が適用可能な遊技機には、パチンコ遊技機，アレンジボール遊技機，スロットマシン等が有るが、一例としてパチンコ遊技機について詳述する。
【００１１】
図１は、本発明の基板ケースを装着したパチンコ遊技機の裏面図を示し、図中１はパチンコ遊技機、２は遊技盤であって、その裏面全体を覆うように合成樹脂製の機構板３が開閉自在に装着されている。また、該機構板３には、上部に景品球を貯留する景品球タンク４が設けられ、その下方にタンクレール５が配設されると共にその流下端に景品球払出装置６が設けられている。
【００１２】
また、景品球払出装置６の下方には景品球をパチンコ遊技機１の前面に払い出すための景品球排出通路７が設けられる。更に、前記機構板３の中央部分には開口８が開設され、該開口８に遊技盤２の裏面に直接取り付けられる合成樹脂製の入賞球集合カバー９が臨み、図２に示されるようにその入賞球集合カバー９の裏面に本発明に係る基板ケース１０が装着される。
【００１３】
しかして、図３は基板ケース１０の斜視図、図４は同分解斜視図である。基板ケース１０は、前記入賞球集合カバー９の裏面に装着される台板１１と、該台板１１前面に取着されパチンコ遊技機１の遊技状態を制御するための回路基板１２と、該回路基板１２の前面を覆うカバー体１３とから構成されている。前記台板１１は長方形状の合成樹脂板からなり、その周囲を前側に突出する周壁１４ａ，１４ｂにより囲われ、左右の周壁１４ｂ，１４ｂの内側上下位置にそれぞれ回路基板１２を支持する支持突部１５が設けられると共に各支持突部１５の前面に通孔１６が貫設されている。また、台板１１の裏面には上端縁に鉤状の掛止片１７が設けられると共に、前面の下端中央には後面に貫設される押込み拡張式のリベット止具１８が取着されている。
【００１４】
回路基板１２は台板１１内に収まる大きさからなり、その前面にＣＰＵ１９，ＲＯＭ２０などの電子部品が取り付けられている。また、左右側上下位置に前記各通孔１６，１６…に合致して連通する取付孔２１，２１…が開設されている。
【００１５】
カバー体１３は透明な合成樹脂製であって台板１１とほぼ同じ大きさからなり、後面が開放し前記回路基板１２の前面を覆う箱形状を成す。そして、カバー体１３の前側壁１３ａに、前記回路基板１２のＲＯＭ２０と対応させて該ＲＯＭ２０を外部から取り出し可能な円形状の開口窓２２が形成される。一方、２３は該開口窓２２に嵌合してその前面を密閉状に塞ぐ円形状の蓋部材である。また、カバー体１３の両側壁１３ｂ，１３ｂの内側上下位置に後端面が前記回路基板１２の前面に当接する円柱部２４が設けられ、各円柱部２４，２４…の後端面に前記各取付孔２１，２１…及び通孔１６，１６…に挿通されその先端部が台板１１の裏面に突出する取付杆２５，２５…が突設されている。
【００１６】
前記開口窓２２の内周縁に、嵌合する蓋部材２３の裏面が摺接する環状の受枠２６が周設されると共に係合部としての係合片２７が等間隔に複数設けられる。各係合片２７，２７…は停止片部２７ａと該停止片部２７ａから前面を覆うように突出する張出片部２７ｂとにより鉤状に形成され、同方向で同一側が開放するようになっている。
【００１７】
一方、蓋部材２３の外周縁に前記各係合片２７，２７…と対応位置して張出片部２７ｂと同幅の被係合部としての切欠凹部２８，２８…が複数設けられる。そこで、各切欠凹部２８，２８…を各係合片２７，２７…に合致させて蓋部材２３を開口窓２２に嵌合し、一方向へ回転させることにより前記各切欠凹部２８，２８…の内側が各停止片部２７ａ，２７ａ…で停止して各係合片２７，２７…に係合するようになっている。
【００１８】
更に、前記開口窓２２内の受枠２６の一箇所に係合片２７，２７間に位置して弾性係止片２９が一体に設けられ、その前面に係止爪３０が突設される。また、蓋部材２３裏面の外周縁には、係止爪３０が係合する係合凹部３１と該係合凹部３１と隣接する薄肉部３２が各切欠凹部２８，２８間にそれぞれ１個ずつ同数設けられる。そして、各切欠凹部２８，２８…と各係合片２７，２７…が係合したとき、係止爪３０が１箇所の係合凹部３１に係合し、これにより蓋部材２３が回転不能に固定される。この際、薄肉部３２は弾性係止片２９に対向位置し、先の尖ったピン等により外側から穴が容易に開けられるように形成されている。蓋部材２３の前面には、窪部３３が設けられ、その中に手で蓋部材２３が回転できるように指が掛かる十文字状の指掛部３４が突設される。
【００１９】
基板ケース１０は上記構成よりなり、次にその組み立て順序を説明する。まず、図６，図９ａに示されるように開口窓２２に蓋部材２３を当てがい各切欠凹部２８，２８…を各係止片２７，２７…に合致させて嵌合し、図６の矢視方向へ回転させる。蓋部材２３は各切欠凹部２８，２８…の内側面が各停止片部２７ａ，２７ａ…に当接して停止し、同時に図９ｂに示されるように係止爪３０が１箇所の係合凹部３１に弾性係止片２９の弾性に抗して係合する。これにより蓋部材２３が図７に示されるように回転不能に固定され、開口窓２２から取り外しできなくなる。
【００２０】
次に、台板１１の前面に回路基板１２を配置してその裏面を各支持突部１５，１５…に当接させる。そして、カバー体１３を回路基板１２の前面を覆うようにして取り付け、各取付杆２５，２５…を各取付孔２１，２１…及び各通孔１６，１６…を介して台板１１の裏面に突出させ、その突出部分を図８に示されるように熱溶着して抜脱不能に固着する。このように熱溶着するのみでカバー体１３が取り付けられるので、その取付作業が簡単かつ迅速に行なえる。回路基板１２は各支持突部１５，１５…と各円柱部２４，２４…で挟着されしっかりと保持される。よって、カバー体１３は無用に取り外しできなくなる。
【００２１】
このようにして組み立てられた基板ケース１０は、パチンコ遊技機１の裏面に装着され、各種配線が接続される。そして、品質検査の結果合格すれば、封印シール（図示せず。）を例えばカバー体１３と台板１１との間に跨ぐようにして貼着し各パチンコホールへ出荷される。
【００２２】
そこで、パチンコホールにおいてパチンコ遊技機１の回路基板１２のＲＯＭ２０を検査するに当っては、図７に示される状態で弾性係止片２９と対向位置する薄肉部３２に外側から先の尖ったピン３５を当てがい薄肉部３２を破って押し込み、図９ｃに示されるように弾性係止片２９を押圧して係合凹部３１と係止爪３０との係合を解き、蓋部材２３を図６の矢視方向とは逆の方向すなわち図９ｄに示される方向へ回転させて図９ｅに示されるように蓋部材２３を取り外す。そして、開放された開口窓２２からＲＯＭ２０を取り外してその検査を行う。
【００２３】
検査終了後は、ＲＯＭ２０を開口窓２２から回路基板１２に戻す。そして、前記穴を開けた薄肉部３２を除いた他の薄肉部３２を弾性係止片２９に対向位置するようにして再び蓋部材２３を開口窓２２に当てがうと共に回転させて各係合片２７，２７…に各切欠凹部２８，２８…を係合させ蓋部材２３を取外し不能に固定する。このように、従来のような多くのネジを取り外し又は取り付けてカバー体１３を開閉するといった作業が不用となることから、ＲＯＭ２０の検査作業が簡単となり、多くの時間を必要とすることもなくなる。
【００２４】
また、係合凹部３１，薄肉部３２を複数設けたので、例えば前記ＲＯＭ２０を検査した後に、一定の期間を置いて検査を繰り返す場合、前記と同様な作業を繰り返すことにより継続してそのまま基板ケース１０が使用でき、コストの低廉が図られる。
なお、本実施の形態では、係合凹部３１と薄肉部３２を別々に設けたが、互いに連なるようにして形成するようにしても良い。
【００２５】
図１０は他の実施の形態に係る基板ケースであり、該基板ケースは、蓋部材２３裏面に設けた各係合凹部３１，３１…とこれに対応する薄肉部３２，３２…の内、１個所に薄肉部３２を省き係合凹部３１ａのみを設け、すなわち、薄肉部３２に対して係合凹部３１ａを１個余分に設けるようにしたものである。これにより、係合凹部３１ａに弾性係止片２９の係止爪３０が係合した場合、該係合凹部３１ａに対応する薄肉部３２が無いことから、その係合状態を解くことができなくなる。よって、例えば、所定の検査回数終了した後、前記係合凹部３１ａに係止爪３０を係合させておけば、蓋部材２３が外側から無用に取り外せなくなり、ＲＯＭ２０を改造されたＲＯＭと交換するといった不正行為が未然に防止されることとなる。
【００２６】
【発明の効果】
以上述べたように、本発明に係る遊技機の基板ケースは、螺子の取付・取外しによりカバー体を開閉することなく、ＲＯＭの出し入れができる。また、これにより、ＲＯＭの検査作業が時間が掛からず簡単に行なえ、引いては作業能率が向上するといった効果を有する。
【００２７】
また、蓋部材に係合凹部と薄肉部とを複数設けるようにしたので、検査に際し基板ケースが複数回繰り返し使用できることとなり、コストの低廉が図られるという効果を有する。更に、蓋部材に係合凹部と薄肉部とを複数設けるようにしたので、基板ケース内に取り付けられたＲＯＭの所定検査回数以外に、蓋部材を無用に取り外した場合、その証拠が残存することとなり、これによりＲＯＭを交換するという基板ケースの不正改造行為が容易に発見できる効果を奏する。
【００２８】
また、蓋部材裏側で薄肉部に対して係合凹部を１個余分に設けるようにすれば、所定の検査回数終了した後、前記係合凹部に係止爪を係合させることにより、ＲＯＭを改造されたＲＯＭと交換するといった不正行為が未然に防止されるという効果を有する。
【図面の簡単な説明】
【図１】  本発明が適用されるパチンコ遊技機の裏面図。
【図２】  基板ケースの取付状態を示す要部の斜視図。
【図３】  基板ケースの斜視図。
【図４】  基板ケースの分解斜視図。
【図５】  蓋部材を取り外した基板ケースの前側壁の斜視図。
【図６】  作用を示す基板ケースの正面図。
【図７】  作用を示す基板ケースの正面図。
【図８】  図６におけるＸ−Ｘ線断面図。
【図９】  開口窓に蓋部材を取り付けまたは取り外しする状態を順に示す側面断面図。
【図１０】  他の実施の形態に係るもので、蓋部材を取り外した基板ケースの前側壁の斜視図。
【符号の説明】
２                遊技盤
１０              基板ケース
１１              台板
１２              回路基板
１３              カバー体
２０              ＲＯＭ
２２              開口窓
２３              蓋部材
２７              係合片（係合部）
２８              切欠凹部（被係合部）
２９              弾性係止片
３１，３１ａ      係合凹部
３２              薄肉部
３５              ピン
【図１】
0003871765.tif 000002
【図２】
0003871765.tif 000003
【図３】
0003871765.tif 000004
【図４】
0003871765.tif 000005
【図５】
0003871765.tif 000006
【図６】
0003871765.tif 000007
【図７】
0003871765.tif 000008
【図８】
0003871765.tif 000009
【図９】
0003871765.tif 000010
【図１０】
0003871765.tif 000011